(57)【要約】本発明によれば、インクジェットプリンタを基本とするシステムにより店頭環境にて印刷できる識別ドキュメントが提供される。識別ドキュメントは、コア層及び第１表示を備える。コア層は第１表面を有し、第１表示は、コア層の第１表面に直接印刷される。第１表示は、顔料インクジェットインクにより形成される。コア材料は、特定の物質（水）に対して親和性をもち、顔料インクは、その物質を含むことができる（水性系インク）。識別ドキュメント基板は、該基板に受け取り層又は受け取り被覆を必要とせずにプリンタから顔料インクを受け取れる。受け取り層がないことで、ラミネートのような付加的な層を非印刷基板に直接接合でき、ラミネートを基板に接合するメカニズムに干渉することがない。このような識別ドキュメントは、ＡＡＭＶＡ、ＡＮＳＩ及びＩＳＯの全要求事項を満足し又はそれらを越えることができる。
2005525254.tif 000002
【特許請求の範囲】
【請求項１】
第１表面を有するコア層と、
前記コア層の第１表面の少なくとも一部分に直接印刷された第１表示であって、顔料インクジェットインクにより形成された第１表示と、
を備える識別ドキュメント。
【請求項２】
前記顔料インクジェットインクは所与の物質を更に含み、前記コア層の少なくとも一部分は、前記所与の物質に対して親和性を有する材料を含む、請求項１に記載の識別ドキュメント。
【請求項３】
前記インクジェットインクは、ビヒクルと、前記顔料に分散された複数の粒子とを含み、前記コア層の少なくとも一部分は、前記ビヒクルに対して親和性を有する構造及び構成にされる、請求項１に記載の識別ドキュメント。
【請求項４】
前記コア層の少なくとも一部分は微孔性材料を含む、請求項１に記載の識別ドキュメント。
【請求項５】
前記コア層の少なくとも一部分は、相変化、溶媒系及び水性系インクジェットインクの少なくとも１つを受け入れることのできる材料を含む、請求項１に記載の識別ドキュメント。
【請求項６】
前記コア層の少なくとも一部分はシリカ充填ポリオレフィンを含む、請求項１に記載の識別ドキュメント。
【請求項７】
前記コア層の少なくとも一部分はＴＥＳＬＩＮを含む、請求項１に記載の識別ドキュメント。
【請求項８】
前記コア層は、単相材料、２相材料、紙、多孔性被覆を有する紙、合成紙、ＴＹＶＥＣ、多孔性樹脂、発泡ポリプロピレンフィルム、プラスチック、ポリオレフィン、ポリエステル、ポリエチレンテレフタレート（ＰＥＴ）及び塩化ポリビニル（ＰＶＣ）が被覆された紙、の少なくとも１つを含む、請求項１に記載の識別ドキュメント。
【請求項９】
前記コア層は表面張力が４０−６０ダイン／ｃｍである、請求項１に記載の識別ドキュメント。
【請求項１０】
前記第１表示は、前記インクジェットインクの少なくとも第１部分が前記コア層の第１表面上にあり且つ前記インクジェットインクの第２部分が前記コア層内へ引き込まれるように前記コア層に形成される、請求項１に記載の識別ドキュメント。
【請求項１１】
前記インクジェットインクの第２部分は前記コア層の少なくとも一部分に接合される、請求項１０に記載の識別ドキュメント。
【請求項１２】
前記インクジェットインクは、複数の粒子を支持するビヒクルを含み、前記インクジェットインクの第２部分は、前記インクジェットインクのビヒクルの少なくとも一部分を含む、請求項１１に記載の識別ドキュメント。
【請求項１３】
前記コア層は、複数のボイドを有する材料を含み、前記インクジェットインクの第２部分は、前記複数のボイドの少なくとも一部分内に配置される、請求項１１に記載の識別ドキュメント。
【請求項１４】
前記ジェットインクの第２部分は前記ジェットインクの第１部分より少ない、請求項１１に記載の識別ドキュメント。
【請求項１５】
前記コア層の第１表面に固定された第１層を更に備え、該第１層は実質的に透明なポリマーを含む、請求項１に記載の識別ドキュメント。
【請求項１６】
前記第１層は実質的に透明な接着剤を更に含む、請求項１５に記載の識別ドキュメント。
【請求項１７】
前記コア層の第１表面に固定された複数のラミネート層を更に備える、請求項１に記載の識別ドキュメント。
【請求項１８】
前記第１表面に貼付された第１層を更に備え、該第１層は保護膜層及び境界層を含む、請求項１に記載の識別ドキュメント。
【請求項１９】
前記コア層の第１表面に固定された第１層を更に備え、該第１層は共通に押し出し成形された実質的に透明なポリマーを含む、請求項１に記載の識別ドキュメント。
【請求項２０】
前記コア層は第２表面を有し、前記識別ドキュメントは、更に、前記コア層の第２表面に固定された実質的に透明なポリマーの第２層を含む、請求項１５に記載の識別ドキュメント。
【請求項２１】
前記コア層は第２表面を有し、前記識別ドキュメントは、更に、前記コア層の第２表面の少なくとも一部分に印刷された第２表示を含み、該第２表示は顔料インクジェットインクにより形成される、請求項１に記載の識別ドキュメント。
【請求項２２】
前記識別ドキュメントは、更に、前記コア層の第２表面に固定された実質的に透明なポリマーの第２層を含む、請求項２１に記載の識別ドキュメント。
【請求項２３】
前記コア層は受け取り部を含まず、前記表示は、受け取り部を使用せずに前記コア層に印刷される、請求項１に記載の識別ドキュメント。
【請求項２４】
識別ドキュメントを作成する方法において、
第１表面を有するコア層を用意するステップであって、該コア層は、所与のインクジェットインクを受け入れることができ且つ前記インクジェットインク内の少なくとも１つの物質に対して親和性を有する材料で構成されるようなステップと、
前記コア層が親和性を有するところの前記インクジェットインクを使用して前記コア材料の第１表面に少なくとも１つの第１表示を直接形成するステップと、
を備える方法。
【請求項２５】
前記コア層の第１表面に貼付される実質的に透明なポリマーの少なくとも１つの層を前記表示支持コア層に貼付するステップを更に含む、請求項２４に記載の方法。
【請求項２６】
前記インクの顔料の濃度は１％から２０％の範囲である、請求項２４に記載の方法。
【請求項２７】
前記顔料の粒子サイズは１ミクロン未満である、請求項２４に記載の方法。
【請求項２８】
前記顔料の粒子サイズは１から１０ミクロンである、請求項２４に記載の方法。
【請求項２９】
前記インクの処方は、顔料に対して１０から１００重量％の分散剤を含む、請求項２４に記載の方法。
【請求項３０】
第１表面を有するコア層と、
前記コア層の第１表面に直接形成される情報を搬送する手段と、
を備える識別ドキュメント。
【発明の詳細な説明】
【関連出願データ】
【０００１】
本出願は、２０００年１２月２２日に出願された米国特許出願第０９／７４７，７３５号、２０００年６月２３日に出願された第０９／６０２，３１３号、２００２年３月６日に出願された第１０／０９４，５９３号、２００２年２月１９日に出願された米国プロビジョナル特許出願第６０／３５８，３２１号、米国特許第６，０６６，５９４号、及び２００２年１１月６日に出願された米国特許第１０／２８９，６９２号に係る。
【関連出願へのクロスレファレンス】
【０００２】
本出願は、次の米国プロビジョナル出願の優先権を請求する。
・２００２年５月１０日に出願されたIdentification Card Printer - Assembler For Over-The-Counter Card Issuing（出願第６０／３７９，６４６号、代理人ドケット第Ｐ０６１２号−発明者：デニス・メイロークス、ダオシェン・バイ及びロバート・ジョーンズ）；及び
・−  ２００２年５月１０日に出願されたApplication of pigmented jet inks to ID cards（出願第６０／３７９，７０４号、代理人ドケット第Ｐ０６４０号−発明者：ダオシェン・バイ、デニス・メイロークス及びロバート・ジョーンズ）。
【技術分野】
【０００３】
本発明は、一般に、識別及び機密ドキュメントに係り、より詳細には、識別ドキュメント基板のような基板にインクジェットプリンタの顔料インクで印刷することに係る。
【背景】
【０００４】
識別ドキュメント（以下、「ＩＤドキュメント」）は、今日の社会において重要な役割を演じる。ＩＤドキュメントの一例は、識別カード（「ＩＤカード」）である。ＩＤドキュメントは、認識を与え、年齢を照合し、保安エリアに立ち入り、運転許可の証拠となり、小切手を現金化し、等々のために毎日使用される。航空機の乗客は、チェックイン、セキュリティ審査の間、及び飛行機に搭乗する前に、ＩＤドキュメントの提示を求められる。更に、我々は絶えず発展を続けるキャッシュレス社会に生きているので、支払を行なったり、ＡＴＭにアクセスしたり、口座をデビットしたり、払い込みを行なったり、等々に、ＩＤドキュメントが使用される。
【０００５】
多数の形式の識別カード及びドキュメント、例えば、運転免許証、国又は政府の識別カード、銀行カード、クレジットカード、コントロール型アクセスカード及びスマートカードは、その持参人の認識に関連した幾つかの情報アイテムを保持している。このような情報は、例えば、名前、住所、生年月日、署名、及び写真像を含み、カード又はドキュメントは、それに加えて、他の変動データ（即ち、特定カード又はドキュメントに特有のデータ、例えば、従業員番号）や、不変データ（即ち、多数のカードに共通したデータ、例えば、雇用主の名前）を保持してもよい。上述したカードは、全て、以下「ＩＤドキュメント」と一般に称される。
【０００６】
識別ドキュメント化の分野に有用な像を形成する際には、ドキュメントの発行者を表わすデータ又は表示（例えば、公式のシール、或いは会社又は教育団体の名称又はマーク）及びドキュメントの持参人を表わすデータ又は表示（例えば、写真肖像、名前又は住所）をドキュメント（例えば、ＩＤカード、運転免許証、パスポート等）に織り込むことがしばしば望まれる。通常、ドキュメント発行者を表わすパターン、ロゴ、又は他の個別のマークは、ドキュメントが本物、正真正銘又は有効な発行物であることを照合する手段として働く。持参人の個人的な写真肖像或いは他のデータ又は表示は、ある施設への立ち入りの権利、或いは商取引及び活動に参加するための事前許可を確認するものである。
【０００７】
カード持参人の背景セキュリティパターン、デザイン又はロゴや、個人的識別データが印刷されたＩＤカードのような識別ドキュメントは、既に知られていて、例えば、１９７３年９月１８日にＭ．アニーンベルグ氏に発行された米国特許第３，７５８，９７０号、１９７６年３月１０日に公告され、Ｇ．Ａ．Ｏ．Ｇｅｓｅｌｌｓｃｈａｆｔ  Ｆｕｒ  Ａｕｔｏｍａｔｉｏｎ  Ｕｎｄ  Ｏｒｇａｎｉｓａｔｉｏｎ  ｍｂＨに発行された英国特許第１，４７２，５８１号、公告第ＷＯ８２／０４１４９号として１９８２年１１月２５日に公告された国際特許出願ＰＣＴ／ＧＢ８２／００１５０号、１９８７年３月３１日にＴ．ラフィール氏等に発行された米国特許第４，６５３，７７５号、１９８８年４月１９日にＧ．Ｓ．セシ氏等に発行された米国特許第４，７３８，９４９号、及び１９９３年１１月１６日にＪ．Ｗ．ルーニング氏等に発行された米国特許第５，２６１，９８７号に説明されている。
【０００８】
熱転写により染料像を作成するための業務用装置（プリンタ）の出現は、ビデオカメラで取得した電子データからのカラープリントの形成を比較的日常的なものにした。一般に、これは、カラーフィルタ又は他の既知の手段を使用して原稿の赤、緑及び青の含有量を表わすデジタル像情報（電子信号）を取得することにより達成される。これらの信号は、次いで、一連のドナーシート（各々、昇華可能なシアン、マゼンタ及びイエロー染料を保持する）の各々を像方向に加熱するための複数の小さな加熱素子（例えば、ピン）を有するプリンタにより使用される。ドナーシートは、それらドナーシートから像方向に転写された染料を受け取るための層を有する受像素子（例えば、基板でよい）と接触状態にされる。上述した熱染料転写方法は、既に知られており、例えば、１９８６年１１月４日にＳ．ブラウンステイン氏に発行された米国特許第４，６２１，２７１号、及び１９９１年６月１８日にＹ．Ｈ．チャン氏等に発行された米国特許第５，０２４，９８９号に説明されている。
【０００９】
ＩＤドキュメントを発行するための営業用システムは、２つの主たる形式があり、即ちいわゆる「中央」発行（ＣＩ）と、いわゆる「現場」又は「店頭」（ＯＴＣ）発行である。
【００１０】
ＣＩ形式のＩＤドキュメントは、持参人に直ちに与えられるのではなく、中央位置から持参人に後で発行される。例えば、一形式のＣＩ環境では、持参人が、データが収集されるドキュメントステーションへ報告を行い、そのデータが、カードが作成される中央位置へ転送され、次いで、カードが、しばしば郵送で持参人へ送付される。ＣＩアッセンブルプロセスの別の説明例は、運転者が運転試験に合格したが、免許証を短期間後にＣＩ施設から郵送で受け取るという設定のものである。ＣＩアッセンブルプロセスの更に別の説明例は、運転者が自分の免許証を郵送又はインターネットを経て更新し、次いで、郵送で運転免許証カードを受け取るという設定のものである。
【００１１】
中央で発行される識別ドキュメントは、デジタル記憶された情報から作成することができ、一般的には、紙又はプラスチックのような不透明なコア材料（「基板」とも称される）を、ポリエステルのような透明なプラスチックラミネートの２枚の層間にサンドイッチして、前記情報アイテムを磨耗、素子への露出及びいたずらから保護するようにしたもので構成される。このようなＣＩ識別ドキュメントに使用される材料は、究極の耐久性を与えることができる。更に、中央で発行されるデジタル識別ドキュメントは、一般に、ＯＴＣ識別ドキュメントよりも高いレベルのセキュリティを与える。というのは、それらは、中央発行ドキュメントのコアに、「マイクロプリンティング」のようなセキュリティ特徴や、紫外線セキュリティ特徴や、中央で発行される識別ドキュメントにとって現在独特のセキュリティ指示及び他の特徴を予め印刷する能力があるからである。
【００１２】
更に、ＣＩアッセンブルプロセスは、その多くが大量プロセス施設で、多数のカードが中央施設で次から次へと作成される。ＣＩ施設は、例えば、数千のカードを連続的に処理してもよい。処理は大量に行なわれるので、ＣＩは、あるＯＴＣプロセス、特に、間欠的に運転されるＯＴＣプロセスに比して、高い効率をもつことができる。従って、ＣＩプロセスは、大量のＩＤドキュメントが製造される場合には、ＩＤドキュメント当りのコストを時々下げることができる。
【００１３】
ＣＩ識別ドキュメントとは対照的に、ＯＴＣ識別ドキュメントは、持参者がドキュメント発行ステーションにいるときに直ちに発行される。ＯＴＣアッセンブルプロセスは、ＩＤドキュメントを「現場」で与える。（ＯＴＣアッセンブルプロセスの説明例は、運転者の免許証が試験にパスした後に現場で個人に発行される陸運局（「ＤＭＶ」）設定である。）ある場合に、ＯＴＣアッセンブルプロセスの真の特性は、ＩＤドキュメントを印刷するための小さな、時にはコンパクトな、印刷及びカードアッセンブラーを生じさせる。
【００１４】
上述した形式のＯＴＣ識別ドキュメントは、コスト及び希望の特徴に基づいて多数の形態をとり得る。あるＯＴＣ  ＩＤドキュメントは、高度に可塑化されたポリ（塩化ビニル）を含むか、又はポリエステルが０．５−２．０ミル（１３−５１．ｍｕ．ｍ）のポリ（塩化ビニル）膜に積層化された複合構造を有し、これは、持参人を識別するに必要な変動又は不変データと共に写真像を形成する熱転写可能な染料に適した受け取り層を形成する。これらのデータは、その後、プリントヘッドにおいて付着される透明な薄い（０．１２５−０．２５０ミル、３−６．ｍｕ．ｍ）オーバーレイパッチ、ホログラフのホットスタンプホイル（０．１２５−０．２５０ミル、３−６．ｍｕ．ｍ）、又は透明なポリエステルラミネート（０．５−１０ミル、１３−２５４．ｍｕ．ｍ）により種々の程度で保護されて、通常のセキュリティ特徴をサポートする。これらの最後の２つの形式の保護ホイル又はラミネートは、時には、プリントヘッドとは個別の積層化ステーションで付着される。ラミネートの選択で、像及び他のデータを保護するためにシステムに与えられる耐久性及びセキュリティの程度が指示される。
【００１５】
図１及び図２は、各々、例示的な従来のＯＴＣ識別ドキュメント１の前面図及び断面図（Ａ−Ａ線に沿った）である。図１において、従来のＯＴＣ  ＩＤドキュメント１は、写真像２と、個人情報３と、セキュリティパターン３（例えば、銀行券や株券等の印刷に使用される細線印刷セキュリティパターンのように、微細に分割された印刷及び非印刷領域が互いに接近した密接印刷パターンで構成される印刷パターン）とを備えている。必要に応じて、セキュリティパターン４は、異なるパターン設計（例えば、装飾模様、組み紐模様）の一部分でもよく、異なるインク（例えば、ＵＶインク）で印刷することができる。
【００１６】
図２を参照すれば、従来のＯＴＣ  ＩＤドキュメント１は、予め印刷されたコア５（例えば、ホワイトのＰＶＣ材料）を備え、これは、例えば、約３０ミル厚みである。コア５には、透明のＰＶＣ材料６が積層化され、これは、例えば、約１−５ミル厚みである。コア５と透明ＰＶＣ材料６の複合体は、約３０ミル厚みのいわゆる「カードブランク」７を形成する。このカードブランク７に、染料拡散熱転写（「Ｄ２Ｔ２」）印刷（以下で詳細に説明する）を使用して情報８が印刷される。Ｄ２Ｔ２印刷により印刷された情報８を保護するために、オーバーラミネートの追加層９が、例えば、１ミルの接着剤（図示せず）を使用して、カードブランク７及びＤ２Ｔ２印刷部に結合される。
【００１７】
本発明の譲受人から「デスクトップセキュリティカード（ＤＳＣ）」として入手できる一形式のＯＴＣ識別ドキュメントは、ペンシルバニア州ピッツバーグのＰＰＧインダストリーズインクにより「ＴＥＳＬＩＮ」という登録商標で商業的に入手できる材料のような印刷可能なシリカ充填ポリオレフィンの不透明シートで形成されたコア層（「基板」とも称される）を有している。このＤＣＳカードでは、ＯＴＣ環境におけるＩＤドキュメントの印刷が、染料拡散熱転写（「Ｄ２Ｔ２」）プリンタとしても知られている染料昇華プリンタで達成される。染料昇華は、写真品質の像の形成を許す熱像形成技術である。染料昇華は、通常、個別のポイントにおいてスタイラス又は熱プリントヘッドから熱（及び時には圧力）を印加することにより基板に転写できる染料（例えば、シアン、マゼンタ、イエロー、ブラック等）が被覆されたパネル（又はリボン）のセットを使用する。染料は、昇華して基板へと移動し、そこで、基板に化学的に結合されるか、又は受け取り被覆が設けられていれば、これに結合される。通常、ドキュメントを横切って次々のカラーパネルで印刷すると、ドキュメントの表面上又はその中に像が生成される。印刷像の印刷の品質は、少なくとも、印刷シーケンス、例えば、イエロー、マゼンタ、シアン及びブラックを正確に位置合わせする機械的プリンタシステムの能力に依存してもよい。共通に譲渡された米国特許第６，０６６，５９４号は、この形式のＯＴＣ識別ドキュメントを詳細に説明しており、この特許の内容全体を参考としてここに援用する。
【００１８】
しかしながら、現在利用できる染料拡散印刷は、特に、現在入手できるインクジェットプリンタのコストに比して高価である。この費用の一部は、染料拡散リボンの寿命が短いことに起因し、例えば、リボンは、それが枯渇するまでに数回の印刷（時には１回の印刷）にしか使用できない。これは、時には、単一カードの印刷にＤ２Ｔ２カラーパネルの全セットが必要とされるために生じ、その結果、未使用の（且つ不都合にも浪費される）像形成材料の割合が高くなる。又、これらのシステムは、高価なＰＣＶ又は他のもっと高価な基板へ染料を拡散する。
【００１９】
ＯＴＣ  ＩＤドキュメントに伴う更に別の重要な問題は、それらの耐久性である。運転免許証等の多数のＩＤドキュメントは、カードのラミネート、像及び／又はテキストに著しいダメージを及ぼし得る湿度や水や汚れや熱のような環境条件を受ける。このような環境条件は、カードの有効寿命を短縮するが、発行者は、１０年までの寿命をもつカードをしばしば希望する。既知の技術及び材料を使用してこのように長い寿命をもつＩＤドキュメントを製造することは、カードのコストを著しく増大する。
【００２０】
ＩＤドキュメントのＯＴＣ製造に伴う更に別の問題は、効率である。ある環境では、ＯＴＣカード発行プロセスは、あるときには、間欠的プロセスとなる。ＯＴＣアッセンブルプロセスの間欠的オペレーションは、時には、ＩＤドキュメントを形成するのに使用される原料の浪費を招く。原料の浪費は、ＩＤカード当りのコストを高める。しかしながら、ＯＴＣカードアッセンブルプロセスは、連続的でもよいし、又は間欠周期の連続運転を有してもよいことが考えられる。
【００２１】
ＩＤドキュメントの多くの発行者は、カードの高品質耐久性を維持しながらＩＤドキュメントのコストを低く保持するために、予算的な圧力をしばしば受けるので、ＩＤドキュメントの品質及び耐久性を維持しながらＩＤドキュメントのコストを下げるようにＩＤドキュメントの設計及び／又は製造を改善することが要望される。
【概要】
【００２２】
本出願の発明者は、ＯＴＣの用途において、顔料インクを使用して（染料系インクではなく）基板シートにジェット印刷することにより、印刷及び耐久性に優れた結果が得られることが分かった。又、ここに述べるように、顔料インクと基板を適切に組み合わせて使用すると、基板に印刷するときに時々使用された受け取り被覆又は層を必要とせずに、カードの品質及び耐久性を維持しながら、基板上に直接印刷できることも分かった。受け取り被覆を排除すると、ＩＤドキュメント当りのコストを１つ以上のやり方で減少することができる。受け取り被覆を既に有している若干高価な基板を使用するプロセスでは、受け取り被覆を伴わない低廉な「平易」基板を使用することによりコスト節約を果たすことができる。受け取り被覆を付着する製造ステップを必要とするプロセスでは、この製造ステップが排除されるのでコストの節約を果たすことができる。
【００２３】
インクジェット受け取り層を排除したことで、識別ドキュメントの構造を、ＩＤカードのような識別ドキュメントに関するアメリカン・アソシエーション・オブ・モーター・ビークル・アドミニストレータ（ＡＡＭＶＡ）、アメリカン・ナショナル・スタンダーズ・インスティテュート（ＡＮＳＩ）、及びインターナショナル・オーガナイゼーション・フォー・スタンダーダイゼーション（ＩＳＯ）仕様に適合させ及び／又はそれを上回るようにすることができる。これは、本発明の少なくとも１つの実施形態では、コアの接合／融合、及び識別ドキュメントと受け取り層との積層を妨げないことにより達成される。定義及び設計上、受け取り層は、先ず、ＩＤドキュメントに塗布されるインクの受け取り部として働く。水性系ジェットインクの場合には、受け取り層の組成は、ほぼ常に、湿った及び高温／高湿環境においてカードの完全性に関する運転免許証（「ＤＬ」）規格のような規格に適合し得ない程度に、水の存在により否定的な影響を受ける（膨張等により）ものである。
【００２４】
本発明の実施形態による少なくとも幾つかのシステム、方法及び装置は、現在入手できるＩＤドキュメントより安いコストで、耐久性及びいたずら防止性に優れたＩＤドキュメントを形成する。少なくとも幾つかの実施形態では、本発明により形成される識別ドキュメントのコストは、既知の技術を使用して製造される同等の識別ドキュメントより２５％から５０％安くすることができる。
【００２５】
更に、本発明の少なくとも幾つかの実施形態は、店頭で発行できる識別ドキュメントであって、中央発行カードの高品質の見掛けと耐久性をもつことができるが、中央発行カードより安いコストで製造することのできる識別ドキュメントを提供する。
【００２６】
又、本発明の少なくとも幾つかの実施形態は、高品質の像及び良好な耐久性をもつ識別ドキュメントであって、微孔性材料を使用して製造できるが、受け取り層又は受け取り被覆の使用を必ずしもを必要としない識別ドキュメントを提供する。
【００２７】
又、本発明の少なくとも幾つかの実施形態は、従来のＯＴＣドキュメント及びその製造方法で遭遇する前記問題の少なくとも幾つかを緩和又は排除する店頭引渡しカードを製造する方法を提供する。
【００２８】
一実施形態において、コア層と第１表示とを備えた識別ドキュメントが提供される。コア層は、第１表面を有し、第１表示は、コア層の第１表面に直接印刷される。第１表示は、顔料インクジェットインクにより形成される。少なくとも１つの実施形態では、顔料インクジェットインクは、更に、所与の物質を含み、コア層は、この所与の物質に対して親和性を有する材料から形成される。少なくとも１つの実施形態では、コア層が、ＴＥＳＬＩＮのような微孔性材料から形成される。又、少なくとも幾つかの実施形態では、コア層が、相変化、溶媒系及び水性系インクジェットインクの少なくとも１つを受け入れることのできる材料から形成される。少なくとも幾つかの実施形態では、コア層は、４０−６０ダイン／ｃｍの臨界表面張力を有する。
【００２９】
少なくとも幾つかの実施形態では、第１表示は、インクジェットインクの少なくとも第１部分がコア層の第１表面にあり且つインクジェットインクの第２部分がコア層へ引き込まれるように、コア層上に形成される。一実施形態では、インクジェットインクの第２部分がコア層の少なくとも一部分に接合される。一実施形態では、コア層は、複数のボイドを有する材料で構成され、インクジェットインクの第２部分がこれら複数のボイドの少なくとも一部分内に配置される。
【００３０】
別の態様において、本発明は、識別ドキュメントを作成するための方法を提供する。コア層が設けられ、このコア層は、インクジェットインクを受け入れることのできる所与の材料で構成され、第１表面を有する。コア層においてこの所与の材料に対して親和性を有するインクジェットインクを使用してコア材料の第１表面に第１表示が直接形成される。任意であるが、実質的に透明なポリマーの少なくとも１つの層を、表示保持コア層の第１表面に貼付することができる。
【００３１】
本発明の前記及び他の特徴及び効果は、添付図面を参照した以下の詳細な説明から容易に理解されよう。
【００３２】
本発明の実施形態の効果及び態様は、以下の詳細な説明及び添付図面に関連して更に完全に理解されよう。
【００３３】
添付図面は、必ずしも正しい縮尺ではなく、本発明の原理を説明するときには一般に強調がなされる。更に、図中、同じ素子は同じ番号で示されている。
【詳細な説明】
【００３４】
以上の説明において、「カード」という語の使用は、全ての形式のＩＤドキュメントを含むことを意図していた。
【００３５】
（この開示の目的として、「ドキュメント」、「カード」、「バッジ」及び「ドキュメント化」という用語は、交換可能に使用される。更に、ＩＤドキュメントは、識別されるべきオブジェクト又は他のエンティティに関連し得る情報、像及び／又は他のデータを記録できるドキュメント、磁気ディスク、ＣＤ、又は他の適当な品目を含むが、これらに限定されない。）
【００３６】
インクジェットプリンタは、現在、いつでも入手できるが、ＩＤカード印刷におけるそれらの使用は、多数のファクタにより制限される。インクジェットプリンタに慣習的に使用される通常の染料系インクは、時間と共に又は日光に長時間露出した状態のもとで退色に耐える安定性に欠ける。ラミネート型ＩＤカードでは、基板（例えば、ＴＥＳＬＩＮシート）に堆積されたインクが、基板にしばしば結合される保護ラミネートの接合部と干渉しないことが好ましい。干渉があると、ラミネートにより与えられるセキュリティ又は出来上がったＩＤドキュメントの長い寿命を無効にすることがある。
【００３７】
本発明者は、染料系インクジェットインクは、高品質の印刷見掛けを形成するためにいわゆる受け取り層（又は薄い被覆）をＩＤドキュメント基板に付着する必要があると分かった。従来の受け取り層は、水分吸収特性を有していて、ＩＤカードの物理的完全性を弱くしてしまう。例えば、受け取り層と共に処理されたカード基板は、特に、カードの縁において水分を吸収する。水分の吸収は、悲惨な影響を及ぼし得るもので、カードが膨張したり反ったりし、ラミネートが剥離し、弱点が生じて侵入点を与え、更に、印刷インクがぼけたり失われたりすることになる。又、本出願の発明者は、受け取り層が基板とラミネートとの間の接合をしばしば弱めることを発見した。
【００３８】
従来の染料系インクジェットインクの別の欠点は、ドキュメント基板内でインクが移動することである。染料系インクジェットインクは、ドキュメント基板に塗布した後、特に、受け取り層が基板に付着されていないときには、基板の厚み全体に浸透することがしばしばある。インクの移動は、少なくとも２つの否定的結果を生じる。第１に、ドキュメント基板の表面に見えるインクが減少されて、「洗い落とされた」像を招く。第２に、最悪の筋書きにおいて、基板の前面に印刷されたインクが基板の背面に見えることになる。
【００３９】
顔料インクジェットインクの使用は、これら問題のほとんどを実質的に排除し又は少なくとも顕著に緩和し、このような顔料インクジェットインクを、ＩＤカード基板に情報を印刷するのに適したものにすることを発見した。このような顔料インクの光及び劣化安定性は、優れたものである。又、これらの顔料インクで印刷するときには、受け取り層は必要とされず、印刷された基板に対するラミネートの接合を受け入れられるものにする一方、優れた耐水分性を維持することも決定された。顔料粒子は、ＴＥＳＬＩＮ（ペンシルバニア州ピッツバーグのＰＰＧインダストリーズインクにより製造された）基板のような微孔性ポリエチレン−ポリマー含有材料等の基板への制御された浸透レベルを示し、基板の背面への浸出がほとんどないか全くない優れた品質の高密度像を形成する。特に、本発明者は、次のことを発見した。
・このような顔料インクの光及び劣化安定性が優れている。
・顔料インクでＴＥＳＬＩＮシートのような微孔性コアを印刷するときには受け取り層が必要とされない。ＴＥＳＬＩＮ（登録商標）のような微孔性コア材料は、ある場合に、表面付近のインク顔料の大部分に残されている顔料インクから顔料粒子をフィルタする傾向がある。ＴＥＳＬＩＮの孔へのある程度の浸透が生じると思われ、これは、基板に顔料をロックする上で助けとなる。しかしながら、顔料インクの浸透は、慣習的な染料インクに比して僅かであることが観察されている。それにより生じる微孔性材料へのラミネート接合強度は優れており、水分により実質的に影響を受けないと思われる。
・基板への顔料の浸透レベルを制限できるので、基板の前面から背面への浸出は観察されなかった。
【００４０】
図３は、本発明の一実施形態により製造されたＩＤドキュメント１０の一例を示し、図４は、図３のＡ−Ａ線に沿って見た識別ドキュメントの断面図である。ＩＤドキュメント１０は、基板２１（例示の目的で、「カード状」の形状をもつものとして示されている）を備え、更に、ＩＤドキュメント１０は、任意であるが、第１及び第２のラミネート層２３、２５間にシールすることができ（又、ＩＤドキュメント１０は、一方のラミネート層（第１層２３又は第２層２５のいずれか）のみでシールされてもよく）、又、複数のラミネート層でシールされてもよい。
【００４１】
本発明では必要とされないが、ＩＤドキュメント１０は、写真１４と、種々の印刷情報１２、例えば、データ、テキスト情報、グラフィック、バーコード、生体情報（例えば、指紋）、個人情報（例えば、名前、住所等）、等々を含んでもよい。写真及び／又は印刷情報の少なくとも一部分がインクジェットインク印刷２９で基板２１に印刷される。少なくとも１つの実施形態では、基板２１の両側に、インクジェットカラー印刷又はインクジェット白黒印刷のような印刷２９を受け取ることができる。ある実施形態では、情報が、ラミネート２３、２５の一方又は両方に支持された記録媒体（例えば、磁気ストライプ２７）に光学的又は磁気的に記憶されてもよい。
【００４２】
認識の不正行為を減少する助けをするために、基板上に印刷された情報及び／又は像のいずれか又は全部が１つ以上の内蔵セキュリティ特徴を含んでもよい。例えば、本発明の一実施形態では、像又はバーコードのようなＩＤドキュメント１０の一部分は、デジタル透かし模様を含むことができる。デジタル透かし模様を入れることは、マシン読み取り可能なコードを埋め込むように物理的又は電子的媒体を変更するプロセスである。媒体は、埋め込まれたコードがユーザに気付かれないか又はほとんど気付かれないが、自動検出プロセスを介して検出できるように変更されてもよい。コードは、例えば、写真、テキスト、グラフィック、像、基板又はラミネートテクスチャー、及び／又は写真−識別ドキュメントの背景パターン又は濃淡に埋め込まれてもよい。又、コードは、紫外線又は赤外線インク及び染料を介して搬送することもできる。
【００４３】
デジタル透かし模様システムは、通常、２つの主たる要素、即ち、ホスト媒体信号にデジタル透かし模様を埋め込むエンコーダと、デジタル透かし模様を含むと思われる信号から埋め込まれたデジタル透かし模様を検出して読み取るデコーダとを有する。エンコーダは、ホスト媒体信号を変更することによりデジタル透かし模様を埋め込む。説明上、ホスト媒体信号が写真を含む場合には、デジタル透かし模様を写真に埋め込むことができ、その埋め込まれた写真を写真−識別ドキュメントに印刷することができる。デコード要素は、疑わしい信号を分析して、デジタル透かし模様が存在するかどうか検出する。デジタル透かし模様が情報（例えば、独特の識別子）をエンコードするアプリケーションでは、デコード要素が、検出されたデジタル透かし模様からこの情報を抽出する。
【００４４】
多数の特定のデジタル透かし模様技術が開発されている。読者は、この分野の文献に馴染みがあると推測する。気付かれない透かし模様を媒体に埋め込んだり検出したりする特定の技術が、例えば、デジマックスの出願中の米国特許出願第０９／５０３，８８１号、及び米国特許第６，１２２，４０３号に詳細に説明されている。デジタル透かし模様を識別ドキュメントに埋め込む技術は、更に、例えば、２００２年３月６日に出願されたデジマックスの出願中の米国特許出願第１０／０９４，５９３号及び２００２年６月１０日に出願された第１０／１７０，２２３号、更に、２００２年２月１９日に出願された出願中の米国プロビジョナル特許出願第６０／３５８，３２１号、並びに米国特許第５，８４１，８８６号に詳細に説明されている。
【００４５】
本発明は、図示されたＩＤドキュメント１０より多数又は少数の特徴を含むＩＤドキュメントも包含することに注意されたい。
【００４６】
図３及び図４を再び参照すれば、少なくとも１つの実施形態において、印刷された基板２１が積層化される。少なくとも１つの実施形態において、出来上がったＩＤドキュメント１０は、少なくとも３層構造（例えば、ラミネート２３−基板２１−ラミネート２５）を含む。ラミネートは、印刷された基板のための保護カバーをなすと共に、無許可のいたずらに対してあるレベルの保護を与える。（例えば、ラミネートは、印刷された情報を変更するために除去し、次いで、変更後に元に戻さねばならない。）種々の積層化プロセスが、譲受人の米国特許第５，７８３，０２４号、第６，００７，６６０号及び第６，１５９，３２７号に開示されている。他の積層化プロセスが、例えば、米国特許第６，２８３，１８８号及び第６，００３，５８１号に開示されている。
【００４７】
又、「オーバーラミネート」（例えば、図２に示すようなオーバーラミネート９）がないことは、本発明の少なくとも幾つかの実施形態の１つの効果であることに注意されたい。というのは、これら実施形態のＩＤドキュメントの構造では、オーバーラミネートが全く必要とされないからである。本発明の少なくとも幾つかの実施形態で教示されたように、受け取り部を使用することで、高いＩＤドキュメント完全性及び低いＩＤドキュメントコストを保証できることに注意されたい。
【００４８】
第１及び第２のラミネート層２３、２５は、基板２１にしっかり結合できる（例えば、積層化又は融合により）ものであれば、いかなる材料で形成することもできる。例えば、ラミネート層２３、２５は、各々基板２１の上面及び下面の上に敷かれるポリエステル又はポリカーボネート系の上面シート２３及び下面シート２５を含むことができる。第１及び第２のラミネート層２３、２５は、実質上当業者に知られた何らかの手段により基板２１に結合することができる。例えば、標準的な熱及び圧力、圧力のみ、溶媒混合による化学的融合、紫外線（ＵＶ）方法、及び／又は電子ビーム（ＥＢ）方法のような技術を使用して、第１及び第２のラミネート層２３、２５のいずれか又は両方を積層化することができる。少なくとも１つの実施形態では、第１及び第２のラミネート層２３、２５のいずれか又は両方は、約１ミル以下から２０ミリ以上までのカリパーのサイズをもつことができる。少なくとも１つの実施形態では、第１及び第２のラミネート２３、２５を基板２１に積層化又は融合する実施例として、各ラミネート層２３、２５のサイズは、１−１５ミルの範囲である。
【００４９】
少なくとも幾つかの実施形態では、インクジェット印刷基板は、ポリエステルラミネート又はポリカーボネートのような既知のラミネート材料でオーバーラミネートすることができる。一実施形態では、積層化基板２１は、典型的なＩＤカードサイズ（例えば、ＩＳＯ規格に合致する）へとダイカットできるように形成される。一実施形態では、ラミネート層２３、２５は、アモルファス又は双軸配向のポリエステルのような光学的に透明で耐久性のあるプラスチックフィルムである。
【００５０】
少なくとも１つの実施形態では、本発明によるＩＤドキュメントは、ラミネートに１つ以上の表示（例えば、カード持参者に関する情報、像、不変情報、等）を逆方向印刷し、次いで、そのラミネートを基板に直接接合することにより、形成することができる。
【００５１】
少なくとも幾つかの実施形態では、ラミネート層２３、２５は、識別ドキュメント１０に対する付加的なセキュリティ特徴を与える。例えば、ラミネート層２３、２５のいずれか又は両方は、低粘着性のポリマー層、光学的に変化し得るインク、赤外線又は紫外線では読み取りできるが通常の白色光では見えないインクで印刷された像、蛍光又は燐光インクで印刷された像、或いはいたずら又は偽造に対してドキュメントを保護する他の使用可能なセキュリティ特徴であって、磨耗や素子に対して識別ドキュメントを保護する保護層の能力を妥協することのないセキュリティ特徴を含んでもよい。
【００５２】
少なくとも１つの実施形態では、第１及び第２のラミネート層２３、２５に代わって、基板２１が滑り込む小袋でラミネートが形成される。この小袋では、熱、圧力、接着剤等の方法を使用して、基板２１を小袋のラミネートに接合することができる。
【００５３】
本発明の少なくとも１つの実施形態では、基板２１を印刷するのに使用されるジェットインクは、水性顔料ジェットインクである。本発明の少なくとも幾つかの実施形態に使用できる水性顔料インクの処方は、一般に、例えば、水と、水混和性有機溶媒、例えば、アルコール、アセトン、ケトン、ケトアルコール、エーテル、エステルと、約１０から３０％の一部分における窒素含有化合物又は硫黄含有化合物と、個々のシアン、マゼンタ又はイエローに対する少なくとも１つの顔料（顔料は有機化合物でも無機化合物でもよい）と、顔料を安定化するための分散剤又は表面活性剤と、粘性変更剤と、殺生物剤と、消泡剤と、乾燥剤と、導電率変更剤、等々とを含む。当業者に明らかなように、本発明により、１つ以上の多数の異なる形式のビヒクル（例えば、水、アルコール等）に懸濁された顔料を含む多数の異なる形式のインクを使用することができる。更に、本発明の少なくとも１つの実施形態は、ＵＶ硬化性インクジェットインクのようないわゆる「急速乾燥」インクジェットインクを使用して実施される。急速乾燥インクジェットインクは、ＰＶＣ及びＰＥＴのような材料に特に有用である。更に、非液体インクジェットインク及び相変化インクジェットインク（例えば、ノズルを通して流れ得るインクを形成するように加熱できるペレット）も、当然、本発明の少なくとも１つの実施形態に使用することができる。
【００５４】
少なくとも１つの実施形態では、各インクにおける顔料の濃度が１％から１０％の範囲であるのが好ましい。この範囲は、約１％から２０％へと受け入れ可能に拡張できるが、詰りのためにプリントヘッドノズルの寿命が犠牲になる。一実施形態では、顔料の粒子サイズは、約１ミクロン未満であるのが好ましい（例えば、小さな粒子サイズは、ノズルの詰りを防止し、印刷特性を改善する上で助けとなる）。しかしながら、少なくとも幾つかの実施形態では、１−１０ミクロンの粒子サイズを本発明に使用することができる。各インクの処方は、例えば、顔料に対して１０から１００重量％の分散剤を含んでもよい。
【００５５】
もちろん、顔料インクジェットインクは、水性インクである必要はない。本発明の実施形態に基づいて使用できる他の形式のインクは、相変化インクジェットインク及び溶媒系インクジェットインクである。
【００５６】
基板２１（ここでは、「印刷コア」とも称される）は、相変化、溶媒系及び／又は水性系インクジェットインクを受け入れることのできる材料で全体的又は部分的に形成することもできるし、或いは相変化、溶媒系及び／又は水性系インクジェットインクを全体的又は部分的に受け入れるような構造及び構成にされた材料で形成することもできる。一実施形態では、基板２１は、２相材料、例えば、疎水性である１つの相と、親水性である１つの相とを有し、水性系インクジェットインクに使用される材料、を使用して構成される。一実施形態では、基板２１は、単相材料を使用して構成され、急速乾燥インクを使用して識別カードへと形成される（例えば、基板２１は、ＰＶＣとＵＶ硬化性インクジェットインクとの組合せで形成される）。
【００５７】
一実施形態では、基板２１（コア層とも称される）は、顔料インクの少なくとも１つの物質に対して親和性を有する材料、例えば、顔料の粒子を支持するビヒクルを含む。親和性とは、基板２１の少なくとも一部分がインクジェットインクの粒子を支持するビヒクルを反発しないことを少なくとも意味する。例えば、ＴＥＳＬＩＮのような材料は、その構造のために、水性系インクジェットインクに対する親和性を有している。少なくとも１つの実施形態では、基板２１は、孔即ちボイド体積部を有する微孔性材料であり、従って、基板２１に塗布されたインクジェットインクの少なくとも一部分が微孔性材料における１つ以上のボイド即ち孔へ流れ込む。例えば、一実施形態では、顔料インクが水をベースとするものであり、基板シートがＴＥＳＬＩＮシートのような親水性材料から作られる。少なくとも１つの実施形態では、親水性材料は、表面張力が４０から６０ダイン／ｃｍの範囲、例えば、約５０ダイン／ｃｍの材料である。
【００５８】
ここに説明する本発明は、使用するインクジェットインクの形式に基づいて、種々の微孔性材料、単相材料、２相材料、紙、多孔性被覆を有する紙、合成紙（例えば、デラウェア州ウイルミントンのデュポン・コープにより製造されたＴＹＶＥＣ）、多孔性樹脂、発泡ポリプロピレンフィルム（カルシウムカルボネート発泡ポリプロピレンフィルムを含む）、プラスチック、ポリオレフィン、ポリエステル、ポリエチレンテレフタレート（ＰＥＴ）及び塩化ポリビニル（ＰＶＣ）が被覆された紙を含む種々の材料で作られた基板と共に使用できることが分かった。ここに説明する顔料インクの塗布は、識別ドキュメントの製造に使用される実質上いかなる基板、顔料インクジェットインク、及び／又はラミネートと共に使用することもできる。例えば、当業者であれば、透明及び不透明の両素子を含む実質上いかなる形式のインクジェット受け取り素子も、本発明の幾つかの実施形態に基づく基板として使用できることが明らかであろう。
【００５９】
使用するジェットインクの形式に対して親和性を有する微孔性材料（例えば、水性系インクに対する親水性材料）を使用することにより、ジェットインクが基板２１の上面及びその中の両方に接合される。これは、ジェットインクが微孔性材料に塗布されたときに、ジェットインクの少なくとも一部分（例えば、粒状物又は粒子を支持するインクジェットインク内のビヒクルの少なくとも一部分）が（毛細管作用に類似したウィック作用により）基板２１の微孔性構造体へと引き込まれる一方、ジェットインク内の粒状物の少なくとも一部分（例えば、カラー又はブラック顔料）が基板の「上面」に留まるからである。例えば、水性系ジェットインクを使用すると、水が（ジェットインク内のバインダーの少なくとも一部分と共に）基板２１の孔へ引き込まれる一方、インクの顔料が基板２１の「上面」に留まる。
【００６０】
これは、図５及び図６に一例として示されている。図５は、印刷が行なわれる前の図４２の区分Ｃを示す拡大図で、印刷前の基板２１の孔４２の様子を示している。図６は、印刷が行われた後の図４の区分Ｃを示す拡大図である。図６において、ジェットインク４４の一部分が孔４２へ引き込まれていると共に、ジェットインク４４の一部分が基板２１の「上面」に留まっていることに注意されたい。
【００６１】
ラミネートのセキュリティ効果を考えるときには、本発明の少なくとも幾つかの実施形態において、カードをいたずらしたときに（例えば、ラミネートを剥がして印刷を変更しようと試みたときに）、いたずらの明らかな形跡が残るのが望ましい。顔料インクジェットで印刷された微孔性材料（ＴＥＳＬＩＮのような）へのラミネートの接合強度が優れているだけでなく、ストレスを受けて破損するときの破損モードが非常に望ましいモードであることが分かった。例えば、積層型の顔料インクジェット印刷されたＴＥＳＬＩＮに対する破損モードは、破断線がＴＥＳＬＩＮの厚みを下るように生じるか、又は破断線がインクの厚みを下るように生じて、清掃やその後の改造を非常に困難にする。（ラミネートをきれいに剥がせて、インクがＴＥＳＬＩＮにそのまま残っているか、或いはインクを１００％接着剤へ移せた場合には、一方の表面だけを清掃して改造すればよく、これは非常に実行が容易な改造である。）一般に、両方の破断モードがある組合せで発生する。これらの破断モードは、全て、改造したことをかなり明らかなものにし、写真の交換やデータの変更を非常に困難にし、接着層を追加しなければ再積層化を不可能にする。
【００６２】
本発明の少なくとも幾つかの実施形態で使用できるラミネートは、実質的に透明なポリマー及び／又は実質的に透明な接着剤を含むもの、或いは実質的に透明なポリマー及び／又は実質的に透明な接着剤をそれらの構造体の一部分として、例えば、押し出し成形された特徴部として有するものを備えている。ラミネートは、複数の個別のラミネート層、例えば、境界層及び／又はフィルム層で構成することができる。ラミネートの透明度は、例えば、識別ドキュメント内に含まれる情報、特定のカラー及び／又は使用するセキュリティ特徴、等により指定することができる。もちろん、ここに述べるラミネートの形式及び構造は、一例として与えられたものに過ぎず、当業者であれば、多数の異なる形式のラミネートを本発明により使用できることが明らかであろう。
【００６３】
別の態様において、本発明の少なくとも幾つかの実施形態は、識別ドキュメントを印刷してアッセンブルするための方法及びプロセスを包含する。図７は、本発明の一実施形態に基づく識別ドキュメント印刷及びアッセンブルプロセスを示すフローチャートである。
【００６４】
このプロセスは、インクジェット印刷のための基板シート（例えば、ＴＥＳＬＩＮ基板シート、又は既に述べた他の使用可能な材料のいずれか）を用意することでスタートする（ステップ１２０）。ＩＤドキュメント基板２１が基板シートから形成される。このシートは、もし必要であれば、出来上がったカードのサイズより大きくすることができる。このオーバーサイジングは、基板を取り扱い、印刷し、積層化するに充分な余裕を許すと共に、指定のサイズにトリミングするのを許す。基板シートの第１面は、顔料インクジェットインクを使用して印刷される（ステップ１２２）。基板にジェットインクを塗布できるものであれば、実質上いかなるメカニズムも、本発明により使用することができる。一実施形態では、ジェットインクは、顔料インクジェットインクの供給源を有する第１インクジェットプリンタによりカードに印刷される。例えば、本発明の少なくとも幾つかの実施形態に使用できる一形式のインクジェットプリンタは、そのインクジェットプリンタのプリントヘッドにおける１つ以上のノズル又はオリフィスからジェットインクの液滴を放出する。印刷は、各カラー顔料インクジェットインクのカラーに対応する多数のカラーで実施することもできる。任意であるが、基板シートの第２面は、顔料インクジェットインクを使用して印刷される（ステップ１２４）。少なくとも１つの実施形態では、第２のインクジェットプリンタを使用して、基板シートの第２面を印刷する。もちろん、当業者であれば、ここに述べるＩＤドキュメント基板を印刷するためのシステムは、単一のインクジェットプリンタから基板の両面を印刷する構造及び構成にできることが明らかであろう。所与の識別ドキュメントを積層化すべきである場合には、印刷された基板シートに任意にラミネートが設けられる（ステップ１２６）。このラミネートは、基板の各印刷面を保護するのが好ましい。
【００６５】
一実施形態では、積層化に続いて、ラミネートが設けられた印刷基板が冷却され、指定のサイズにカット（例えば、ダイカッティングにより）される（ステップ１２８）。しかしながら、少なくとも１つの実施形態では、基板及びラミネートは、ラミネートが設けられた印刷基板をカットする必要がないようなサイズにすることもできる。
【００６６】
本発明の識別ドキュメントは、いかなる希望のサイズで製造されてもよい。例えば、識別ドキュメントは、標準名刺サイズ（４７．６ｘ８５．７ｍｍ）から識別小冊子ドキュメント（１２７ｘ１７７．８ｍｍ）までの範囲のサイズとし、約０．３から約１．３ｍｍの範囲の厚みとすることができる。本発明の実施形態に基づいて作成された少なくとも幾つかの識別ドキュメントは、ＩＳＯ７８１０、１９８５の全ての要求事項に適合し、従って、ＣＲ−８０サイズ、即ち巾８５．４７−８５．７３ｍｍ、高さ５３．９２−５４．０３ｍｍ、及び厚み０．６９−０．８４ｍｍとなる。このようなＣＲ−８０ドキュメントの有望なものは、半径２．８８−３．４８ｍｍで丸み付けされる。
【結論考察】
【００６７】
以上、特定の実施形態を参照して、技術の原理を図示して説明したが、この技術は、多数の他の異なる形態及び多数の異なる環境においても実施できることが理解されよう。
【００６８】
ある従来の黒いインクジェットインクは、顔料インクであることに注意されたい。例えば、ＨＰから得られる黒いインク（８１及び８３ブラックインク）、キャノンから得られる黒いインク（ＢＣＩ−５ＢＫ）、及びエプソンから得られる黒いインク（Ｔ０１５）は、ＴＥＳＬＩＮ（登録商標）ＩＤドキュメントの基板を印刷するのに適したものであることが分かった。同様に、エプソン２０００Ｐプリンタ用のカラー顔料インク（ＣＭＹ）（Ｔ１０６）及びＨＰデザインジェット５０００プリンタ用のカラー顔料インク（ＨＰ８１及び８３シアン、マゼンタ、イエローインク）も、本発明のＩＤドキュメントインクジェット印刷の要求に適していることが分かった。
【００６９】
ここに開示する本発明の技術は、「Identification Card Printer - Assembler For Over-The-Counter Card Issuing」と題する共通に譲渡されたプロビジョナル特許出願第６０／３７９，６４６号（代理人ドケット第Ｐ０６４０号−発明者：デニス・メイロークス、ダオシェン・バイ及びロバート・ジョーンズ）に開示された技術と結合されることが明確に意図される。
【００７０】
明細書を不当に長くすることなく総合的な開示を与えるために、本出願人は、前記米国特許ドキュメントの各々を参考としてここに援用した。
【００７１】
本発明の実施形態の種々の特徴を説明するために、幾つかのワード、言語、フレーズ、用語及び商品ブランドを使用したが、それらの使用は、それに限定することを意図するものではない。所与のワード、フレーズ、言語、用語又は商品ブランドの使用は、全ての文法的、直解的、科学的、技術的、及び機能的な同等物を包含することが意図される。
【００７２】
上で詳細に述べた実施形態における要素及び特徴の特定の組合せは、単なる例示に過ぎず、本書及び参考として援用した特許ドキュメントにおけるこれら技術と他の技術との交換及び置き換えも明確に意図される。特許請求の範囲に規定された本発明の精神及び範囲から逸脱せずに、上述した説明の変更、修正及び他の実施をなし得ることが当業者に明らかであろう。従って、以上の説明は、一例に過ぎず、それに限定されるものではない。本発明の範囲は、特許請求の範囲及びその等効物において規定される。
【図面の簡単な説明】
【００７３】
【図１】従来の識別ドキュメントの一例を示す図である。
【図２】図１のＡ−Ａ線に沿った従来の識別ドキュメントの断面図である。
【図３】本発明の実施形態による識別ドキュメントの一例を示す図である。
【図４】図２のＢ−Ｂ線に沿った識別ドキュメントの断面図である。
【図５】図３の区分Ｃを、印刷の前に示した拡大図である。
【図６】図３の区分Ｃを、印刷の後に示した拡大図である。
【図７】本発明の一実施形態による識別ドキュメント印刷及びアッセンブルプロセスを示すフローチャートである。
【符号の説明】
【００７４】
１・・・従来のＯＴＣ  ＩＤドキュメント、２・・・写真像、３・・・個人情報、５・・・コア、６・・・ＰＶＣ材料、７・・・カードブランク、８・・・情報、９・・・オーバーラミネート、１０・・・本発明のＩＤドキュメント、２１・・・基板、２３、２５・・・ラミネート層、２７・・・磁気ストライプ、２９・・・印刷、４２・・・孔、４４・・・ジェットインク
【図１】
2005525254.tif 000003
【図２】
2005525254.tif 000004
【図３】
2005525254.tif 000005
【図４】
2005525254.tif 000006
【図５】
2005525254.tif 000007
【図６】
2005525254.tif 000008
【図７】
2005525254.tif 000009
【国際調査報告】
2005525254.tif 000010